Podtech/llm-jp-corpus-v4-ja_patent huggingface dataset:
(57)【要約】      （修正有）【課題】携帯電話や定期券等をワイシャツ等の胸ポケットに入れ、常時携行する場面が多くなった。その場合、特に携帯電話等においては厚みや重さがあり、ポケットの下部がふくらみ、傍目にみっともなくかつ不用心であった。本発明は、ポケット下部のふくらみや不用心さを保持部に携帯電話等をつるした状態で、携帯電話をポケット内の中空部分に位置させることができるワイシャツ等の提供。【解決手段】  胸ポケットのあるワイシャツ等において、ポケットの上端開口部のワイシャツ等本体の前面上部に小片の布地等の両端、中央を、また一つ又は複数の保持紐の両端を小片布地で固着し、吊り金具等を保持できる保持部を構成したものである。この際、吊り金具等と紐で携帯電話等を連結し、連結している紐の長さを調節して、ポケットの下部に達しないようにし、中空に保持させる。【選択図】図１
2007119986.tif 000002
【特許請求の範囲】
【請求項１】
胸ポケット（２）のある男性用ワイシャツ（１）、Ｔシャツ等や女性用ブラウス等（以下、ワイシャツ等と呼称する。）において、ポケットの上端開口部（３）のワイシャツ等本体の前面上部に小片の布地等の両端を、また保持紐の両端を小片布地で固着し、吊り金具等を保持できる保持部を一カ所設けたのを特徴とする胸ポケットの上部に吊り金具等の保持部を設けたワイシャツ等
【請求項２】
胸ポケットのあるワイシャツ等において、ポケットの上端開口部のワイシャツ等本体の前面上部に複数の小片の布地等の両端、小片の布地等の両端・中央等複数箇所、また複数の保持紐の両端、保持紐の両端・中央等複数箇所を小片布地で固着した複数の吊り金具等を保持できる保持部を設けたのを特徴とする胸ポケットの上部に吊り金具等の保持部を設けたワイシャツ等
【請求項３】
左右二カ所に胸ポケットのあるワイシャツ等において、両方または片方のポケットに請求項１，請求項２を構成した胸ポケットの上部に吊り金具等の保持部を設けたワイシャツ等
【発明の詳細な説明】
【発明の詳細な説明】
【産業上の利用分野】
【０００１】    男性用ワイシャツ、Ｔシャツ等や女性用ブラウス等の作製に関するものである。
【背景技術】
【０００２】    本発明のような吊り金具を保持できる保持部を構成した胸ポケットのあるワイシャツ等はなかった。
【発明が解決しようとする課題】
【０００３】    現代、携帯電話や定期券（スイカ等）等の価値・用法が変わり、その重要性が高まった。また、気候や生活環境から現代の日常の服装は上着を脱いでいる期間、時間が長くなっている。このため、携帯電話や定期券等をワイシャツ等の胸ポケットに入れ、常時携行する場面が多くなった。その場合、特に携帯電話等においては厚みや重さがあり、ポケットの下部がふくらみ、傍目にみっともなくかつ不用心であった。    本発明は、ポケット下部のふくらみや不用心さを保持部に携帯電話等をつるした状態で、携帯電話をポケット内の中空部分に位置させるのものである。    以上の状態を完成させるためには、携帯電話等をつるすことが出来るものが必要であるが、携帯電話等が現金としての価値を持ち盗難・紛失等をさけるために製品化されると確信しているし、吊り金具で携帯電話をつないでいる個人も散見される。
【課題を解決するための手段】
【０００４】    吊り金具等と紐で携帯電話等を連結し、その吊り金具等をポケットの上部に設けた吊り金具等を保持する保持部に吊り金具を装着させ、携帯電話等を連結している紐の長さを調節して、ポケットの下部に達しないようにし、中空に保持させる。    このため、胸ポケットのあるワイシャツ等において、ポケットの上端開口部のワイシャツ等本体の前面上部に小片の布地等の両端、中央を、また一つ又は複数の保持紐の両端を小片布地で固着し、吊り金具等を保持できる保持部を構成したものである。    この際、左右両方に胸ポケットある場合はその片方、両方に吊り金具等を保持する保持部を設ける場合もある。
【作用】
【０００５】    吊り金具等保持部で、携帯電話等を吊り金具等と長さを調整した保持紐により、ポケットの下部ではなく、ポケット内の中空に保持できる。・  ポケットの下部のふくらみが無くなるとともに上端開口部がたれなくなる。・  吊しているので、取り出しやすい。（紐等が絡まない）・  吊り金具で簡単にはずせ、携帯電話は写真を撮る場合には簡単である。また、保持時には吊り金具等で保持しているため・  屈んでも落ちないし、紐付きであり、盗難等を防止できる。
【実施例１】
【０００６】    請求項１について図１，図２をもって説明する。    図１は左胸ポケット（２）のあるワイシャツ（１）等で、ポケットの上端開口部のワイシャツ等本体の前面上部に吊り金具等の保持部の位置（４）を表し、図２において吊り金具等を一カ所で保持する形状、小片布地を横にした状態・縦にした状態で両端を固着、また、保持紐の両端を小片布地で固着する例を表した。    保持部を一カ所設けたのを特徴とする胸ポケットの上部に吊り金具等の保持部を設けたワイシャツ等
【実施例２】
【０００７】    請求項２の保持部が二カ所ある本発明について図１，図３をもって説明する。    図１の保持部の位置に、図３は吊り金具を保持する箇所を２カ所にした形状、小片布地を横または縦にし中央と両端を固着、複数の小片の両端を固着、または複数の保持紐の両端を・保持紐の中央及び両端を小片布地で固着する例を表した。  保持部を二カ所設けたのを特徴とする胸ポケットの上部に吊り金具等の保持部を設けたワイシャツ等
【発明の効果】
【０００８】  吊り金具等付きの携帯電話やカードケースをワイシャツ等の保持部に止めて胸ポケット内の中空に保持する。  このため、  イ  携帯電話やカードケース      紐付きかつ吊り金具等で保持しているため、屈んでポケットから出ても落ちない。または軽易に盗まれない。      吊り金具をはずすことにより、軽易にはずすことが出来、持ち運びに便利である。  ロ  保持時におけるポケットの形状      携帯電話等がポケットの中空にあるため、ポケットが垂れ下がらない。またポケットの下部がふくれたりしない。
【図面の簡単な説明】
【０００９】
【図１】左胸にポケットのあるワイシャツで、ポケットの上端開口部のワイシャツ本体の前面上部に構成する保持部の位置  この際、保持部の位置は楕円で表した。
【図２】吊り金具等を一カ所で保持する形状、小片布地を横（５）・縦（６）・Ｔ字型（７）にした状態で両端を固着、また、保持紐の両端を小片布地で固着（８）した形状  この際、固着した箇所は斜線で表した。
【図３】吊り金具を保持する箇所を２カ所にした形状、小片布地を横（５）または縦（６）にし中央と両端を固着、複数の小片の両端を雁行型（９）等に固着、または複数の保持紐の両端を、あるいは保持紐の中央及び両端を小片布地で固着（８）した形状  この際、固着した箇所は斜線で表した。
【符号の説明】
【００１０】  １  ワイシャツ  ２  胸ポケット  ３  上端開口部  ４  保持部の位置  ５  横状態  ６  縦状態  ７  Ｔ字型  ８  保持紐  ９  雁行型
【図１】
2007119986.tif 000003
【図２】
2007119986.tif 000004
【図３】
2007119986.tif 000005
(57)【要約】      （修正有）【課題】ズボンに背負い紐をつけた子守帯を提供する。【解決手段】ズボンのウエスト部分から裾にかけ背負い紐をつけ、胸部分で固定するための金具を装着することを特徴とする子守帯である。【選択図】図１
2007119984.tif 000002
【特許請求の範囲】
【請求項１】
ズボンのウエスト部分から裾にかけ背負い紐をつけ、その背負い紐は、長さの調節でき、背負った時に安定する様、胸に押さえの金具の装着ができることを特徴とする子守帯。
【発明の詳細な説明】
【技術分野】
【０００１】  本発明は、子どもにズボンを穿かせ、リュックを背負うように子どもを背負うとことができる子守帯に関するものである。
【背景技術】
【０００２】  従来、パイプを使ったリュック型の子守帯があった。
【発明の開示】
【発明が解決しようとする課題】
【０００３】  そのために、次のような問題があった。
（イ）子どもが寝て、ふとんへ移動させる時に子どもに不快感を与え起こしてしまう事があった。
（ロ）大きいため、携帯、収納に不向きであった。
本発明は、以上の問題点を解決するためのものである。
【課題を解決するための手段】
【０００４】  ズボンのウエスト部分から裾にかけ背負い紐をつける。その紐は長さの調節ができ、背負った時に安定する様、胸の位置で押さえの金具が装着できる。以上を特徴とする子守帯である。
［開発の効果］【０００５】  ズボンタイプであるため、子どもが寝た時、ズボンを穿かせたままチャイルドシートに座らせることができ、ふとんへ寝かせた後も、子どもに不快感を与えずに、ズボンを脱がせる事ができる。
【発明を実施するための最良の形態】
【０００６】  以下、本発明の実施の形態について説明する。
（イ）ズボン（１）のウエツト部分から裾部分にかけ長さ調整ができる背負い紐を縫い付ける。
（ロ）左右の背負い紐に胸部を押さえるベルトを付ける。
本発明は、以上の構成よりなっている。
【図１】
2007119984.tif 000003
【手続補正書】
【提出日】平成18年1月10日(2006.1.10)
【手続補正１】
【補正対象書類名】明細書
【補正対象項目名】全文
【補正方法】変更
【補正の内容】
【発明の詳細な説明】
【技術分野】
【０００１】  本発明は、子どもにズボンを穿かせ、リュックを背負うように子どもを背負うとことができる子守帯に関するものである。
【背景技術】
【０００２】  従来、パイプを使ったリュック型の子守帯があった。
【発明の開示】
【発明が解決しようとする課題】
【０００３】  そのために、次のような問題があった。
（イ）子どもが寝て、ふとんへ移動させる時に子どもに不快感を与え起こしてしまう事があった。
（ロ）大きいため、携帯、収納に不向きであった。
本発明は、以上の問題点を解決するためのものである。
【課題を解決するための手段】
【０００４】  ズボンのウエスト部分から裾にかけ背負い紐をつける。その紐は長さの調節ができ、背負った時に安定する様、胸の位置で押さえの金具が装着できる。以上を特徴とする子守帯である。
［開発の効果］【０００５】  ズボンタイプであるため、子どもが寝た時、ズボンを穿かせたままチャイルドシートに座らせることができ、ふとんへ寝かせた後も、子どもに不快感を与えずに、ズボンを脱がせる事ができる。
【発明を実施するための最良の形態】
【０００６】  以下、本発明の実施の形態について説明する。
（イ）ズボン（１）のウエツト部分から裾部分にかけ長さ調整ができる背負い紐を縫い付ける。
（ロ）左右の背負い紐に胸部を押さえるベルトを付ける。
本発明は、以上の構成よりなっている。
これを使用するときは、子供にズボン（１）を穿かせた後、リュックを背負うように背負い、胸部の押さえベルトでしょいこを安定させ使用する。
【図面の簡単な説明】
【図１】本発明の斜視図
【符号の説明】
【０００８】  １  ズボン
２  背負い紐
３  胸部ベルト
(57)【要約】【課題】１個のドット式表示器でエレベーターの方向とかご位置を一定時間毎に切替え、交互に表示することで、ドット式表示器の員数を低減できるエレベーターの制御装置を提供する。【解決手段】エレベーターの方向とかご位置を表示する機能とドット式表示器１ＮＤ１を備えたエレベーターの制御装置において、１個のドット式表示器１ＮＤ１にエレベーターの方向とかご位置を一定時間毎に切替え交互に表示する。【選択図】  図１
2007119140.tif 000002
【特許請求の範囲】
【請求項１】
エレベーターの方向とかご位置を表示する機能と、ドット式表示器を備えたエレベーターの制御装置において、１個のドット式表示器でエレベーターの方向とかご位置を一定時間毎に切替え、交互に表示することを特徴とするエレベーターの制御装置。
【発明の詳細な説明】
【技術分野】
【０００１】
本発明はエレベーターの制御装置に係り、特にドット式表示器を備えたエレベーターの制御装置に関する。
【背景技術】
【０００２】
一般に、エレベーターの方向とかご位置は各々のドット式表示器で表示する手段を備えたエレベーターが知られており、この種のエレベーターはドット式表示器をエレベーターの方向用とエレベーターのかご位置用の２個備える必要がある。（特許文献１参照。）。
【特許文献１】特開平３−１７７２８０号公報（第１頁４行目〜１４行目）
【発明の開示】
【発明が解決しようとする課題】
【０００３】
従来のエレベーターにおいては、エレベーターの方向とかご位置は各々のドット式表示器で表示する手段を備えたエレベーターが知られており、この種のエレベーターはドット式表示器をエレベーターの方向用とエレベーターのかご位置用の２個備える必要がある。
【０００４】
本発明の目的は、１個のドット式表示器でエレベーターの方向とかご位置を一定時間毎に切替え、交互に表示することで、ドット式表示器の員数を低減できるエレベーターの制御装置を提供することにある。
【課題を解決するための手段】
【０００５】
本発明は上述の目的を達成するために、エレベーターの方向とかご位置を表示する機能とドット式表示器を備えたエレベーターの制御装置において、１個のドット式表示器でエレベーターの方向とかご位置を一定時間毎に切替え、交互に表示することを特徴とするエレベーターの制御装置。
【発明の効果】
【０００６】
以上説明したように本発明は、１個のドット式表示器でエレベーターの方向とかご位置を交互に表示することでドット式表示器の員数を低減できることにある。
【発明を実施するための最良の形態】
【０００７】
以下、本発明の一実施形態を図１と図２を用いて説明する。
【０００８】
図２は、従来の一実施形態の電気結線図である。対象となるエレベーターは１階から２階までを就行するものとする。また、図２は主に２階床のエレベーターの結線図を示してある。Ｐ、Ｎは電源、ＵＰはエレベーターがＵＰ方向時ＯＮする図示しないリレーのＡ接点、ＤＮはエレベーターがＤＮ方向時ＯＮする図示しないリレーのＡ接点、９１１はエレベーターのかご位置が１階時ＯＮする図示しないリレーのＡ接点、９１２はエレベーターのかご位置が２階時ＯＮする図示しないリレーのＡ接点、１ＰはＵＰ方向表示用パターン、２ＰはＤＮ方向表示用パターン、３Ｐは１階表示用パターン、４Ｐは２階表示用パターン、ＩＮＤ１はエレベーターの方向表示用ドット表示器、ＩＮＤ２は工レベターのかご位置表示用ドット表示器を示す。ＩＮＤ１およびＩＮＤ２のドット表示器は１Ｐから４Ｐの１の部分が点灯し０の部分は非点灯となる。
【０００９】
最初にエレベーターが１階でＵＰ方向の場合の説明を下記に示す。エレベーターはＵＰ方向のためエレベーターがＵＰ方向時ＯＮする図示しないリレーＵＰがＯＮしているため、Ｐ−ＵＰ−１Ｐ−ＩＮＤ１−Ｎの回路が形成されエレベーターの方向表示用ドット表示器ＩＮＤ１はＵＰを表示するドットが点灯する。また、エレベーターは１階のためエレベーターのかご位置が１階時ＯＮする図示しないリレー９１１がＯＮしているため、Ｐ−９１１−３Ｐ−ＩＮＤ２−Ｎの回路が形成されエレベーターのかご位置表示用ドット表示器ＩＮＤ２は１を表示するドットが点灯する。
【００１０】
次に図１で本発明の説明をする。図１は、本発明の一実施形態の電気結線図である。ＣＨＥａは−定時間毎にＯＮする図示しないリレーのＡ接点、ＣＨＥｂは一定時間毎にＯＮする図示しないリレーのＢ接点を示す。
【００１１】
図１の説明と同様にエレベーターが１階でＵＰ方向の場合の説明を下記に示す。一定時間毎にＯＮする図示しないリレーＣＨＥがＯＮしている場合、エレベーターはＵＰ方向のためエレベーターがＵＰ方向時ＯＮする図示しないリレーＵＰがＯＮしているため、Ｐ−ＣＨＥａ−ＵＰ、−１Ｐ−ＩＮＤ１−Ｎの回路が形成されエレベーターの方向表示用ドット表示器ＩＮＤ１はＵＰを表示するドットが点灯する。−定時間後、一定時間毎にＯＮする図示しないリレーＣＨＥがＯＦＦすると、Ｐ−ＣＨＥｂ−９１１−３Ｐ−１ＮＤ１−Ｎの回路が形成されエレベーターの方向表示用ドット表示器ＩＮＤ１で１を表示するドットが点灯することは容易に理解できる。
【図面の簡単な説明】
【００１２】
【図１】本発明の一実施形態によるエレベーターの制御装置の電気結線図である。
【図２】従来の一実施形態の電気結線図である。
【符号の説明】
【００１３】
ＩＮＤ１  エレベーターの方向表示用ドット表示器
１Ｐ  ＵＰ方向表示用パターン
２Ｐ  ＤＮ方向表示用パターン
３Ｐ  １階表示用パターン
４Ｐ  ２階表示用パターン
ＣＨＥａ  一定時間毎にＯＮする図示しないリレーのＡ接点
ＣＨＥｂ  一定時間毎にＯＮする図示しないリレーのＢ接点
ＵＰ  エレベーターがＵＰ方向時ＯＮする図示しないリレーのＡ接点
ＤＮ  エレベーターがＤＮ方向時ＯＮする図示しないリレーのＡ接点
９１１  エレベーターのかご位置が１階時ＯＮする図示しないリレーのＡ接点
９１２  エレベーターのかご位置が２階時ＯＮする図示しないリレーのＡ接点
【図１】
2007119140.tif 000003
【図２】
2007119140.tif 000004
(57)【要約】      （修正有）【課題】混雑したかご内でも行先階呼び登録ができるエレベーターの制御装置の提供。【解決手段】エレベーターかご内を撮影するカメラ２をかご内に設け、このカメ２が撮影した画像を記録する画像記録装置３と、この画像記録装置３からかご内の乗客が示した指の数の画像を取り出し認識する画像抽出・認識装置４と、この画像抽出・認識装置４の認識結果によりエレベーターの運転制御装置へ必要な制御指令を発する指令装置６と、この指令装置の信号が伝わったことをかご内に知らせる放送装置８を有する構成とする。【選択図】図１
2007119139.tif 000002
【特許請求の範囲】
【請求項１】
エレベーターかご内に、エレベーターかご内の映像を撮影する手段を有し、前記撮影手段が撮影した画像を記録する画像記録装置と、この画像記録装置から乗客の指により示された指の画像を取り出し認識する画像抽出・認識装置と、この画像抽出・認識装置の認識結果によりエレベーターの運転制御装置へ所定の行先階呼び登録指令を発する指令装置とを有するエレベーターの制御装置。
【請求項２】
上記請求項１において、エレベーターの行先階呼び登録が行なわれると、かご内に行先階呼び登録されたことを放送する放送装置とを有するエレベーターの制御装置。
【発明の詳細な説明】
【技術分野】
【０００１】
本発明は、エレベーターの行先階呼び登録に有効なエレベーターの制御装置に関するものである。
【背景技術】
【０００２】
この種の装置としては、エレベーターかご内に、かご内を撮影するカメラと、人の動きに反応する人感センサを利用し前記カメラが撮影した画像を記録する画像記録装置と、この画像記録装置から乗客が示した手話の画像を取り出し認識する画像抽出・認識装置と、この画像抽出・認識装置の認識結果によりエレベーターの運転制御装置へ必要な制御指令を発する指令装置とを有することを特徴とするエレベーターの制御システムが知られている（特許文献１参照）。
【特許文献１】特開２００１−１６３５３１公報
【発明の開示】
【発明が解決しようとする課題】
【０００３】
特開２００１−１６３５３１号は、視覚障害者或いは手話を知っている人が対象であるため、手話を知っている人以外はエレベーター行先階を登録することができないという問題と、視覚障害者の場合、エレベーター行先階登録が登録されたか否かが判らないという問題があった。
【０００４】
本発明は、上記の問題点を解決するために検討したものであり、指の数でエレベーターの行先階を判別し、目的の行先階を登録できるエレベーター行先登録装置の提供を目的とする。
【課題を解決するための手段】
【０００５】
エレベーターかご内に、かご内の映像を撮影するカメラと、前記カメラの撮影した画像を記録する画像記録装置と、この画像記録装置から乗客が示した指の画像を取り出し認識する画像抽出・認識装置と、この画像抽出・認識装置の認識結果によりエレベーターの運転制御装置へ行先階呼び登録指令を発する指令装置とを有した構成とすることにより達成される。
【発明の効果】
【０００６】
エレベーターかご内が混雑し、エレベーターかご内操作盤の釦が押せない場合でも、利用者が希望するかご呼びを簡単に登録することができる。
【０００７】
上記に加え、行先階呼びが登録されたことにより、登録されたことを確認することができる。
【発明を実施するための最良の形態】
【０００８】
以下、本発明実施形態を図１を用いて説明する。
【０００９】
図１は本発明の一実施形態を示すシステム図である。エレベーターのかご９内にはかご内を撮影できるカメラ２が取り付けられている。カメラ２は、かご内を常時撮影する。撮影した映像情報は、エレベーター機械室にある画像記録装置３で常時録画する。
【００１０】
今、エレベーターの乗客１がカメラ２に向かって行先階の階数を旨で示すと、その画像を画像記録装置３が記録する。次に画像抽出・認識装置４は、前記記録の画像から、エレベーターの乗客１の指の数を抽出し、前記の抽出画像と画像認識パターン５を照合し、行先階の階数を認識する。その後、認識した階の行先階呼び登録を指令装置６からエレベーターの運転制御装置７へ行先階呼び登録指令を発する。この行先階呼び登録指令に従って、前記エレベーターの運転制御装置７が行先階を登録する。また、行先階を登録するとエレベーターのかご９に設置されている放送装置８から行先階を登録したことを伝える放送をかご内に放送する。
【図面の簡単な説明】
【００１１】
【図１】本発明の一実施形態を示すシステム図である。
【符号の説明】
【００１２】
１  エレベーターの乗客
２  かご内カメラ
３  画像記録装置
４  画像抽出・認識装置
５  画像認識パターン
６  指令装置
７  エレベーターの運転制御装置
８  かご内放送装置
９  エレベーターのかご
【図１】
2007119139.tif 000003
(57)【要約】【課題】ガラスのコップや水槽の美感や透明度を損なわずに、それらに付着する結露の滴れを防止する。【解決手段】結露防止の対象となる素材の表面に、毛細管現象が起こる程度に微細な幅と深さを備えた溝を密に施す。更に上述の溝の山から谷に向かって更に微細な溝を密に施す。【選択図】図１
2007119328.tif 000002
【特許請求の範囲】
【請求項１】
素材の表面に毛細管現象が起こる程度に微細な幅と深さを備えた溝を密に施したことを特徴とする表面加工。
【請求項２】
請求項１で言う溝に対して、その溝の山から谷に向かって施された更に微細な溝を備えたことを特徴とする請求項１記載の表面加工。
【発明の詳細な説明】
【技術分野】
【０００１】本発明は、ガラス面などに付着する結露を防止する表面加工技術に関する。
【背景技術】
【０００２】従来の結露防止方法には、結露捕水シートを使用したものがある。
【特許文献１】特開平８−１３５０３０号公報。
【発明の開示】
【発明が解決しようとする課題】
【０００３】従来技術である結露防止シートは効果的な技術ではあるが建築資材向けであり、透明性や美感が重視されるガラスのコップや水槽のガラス面に適用すると、ガラスの透明性が損なわれたり美感を損ねたりすることがある。【０００４】本発明は、コップや水槽のガラス面の透明性や美感を確保しながら、ガラス面に付着する結露を抑制または防止するものである。
【課題を解決するための手段】
【０００５】結露防止の対象となる素材の表面に、毛細管現象が起こる程度に微細な幅と深さを備えた溝を密に施す。【０００６】また上述の溝の山から谷に向かって更に微細な溝を密に施す。
【発明の効果】
【０００７】常温の室内に冷水を入れたガラスのコップを置くと、コップ表面は低温であるためにコップ表面近傍の水蒸気がコップ表面に結露する。【０００８】この結露は、最初は微小なものであるが、徐々に大きくなり、また互いに結合し、やがては水滴までに成長する。【０００９】この成長の過程で、水滴が微細な幅の溝に接触すると、水滴の表面張力により水滴は溝の中に吸収される。【００１０】溝に吸収された水滴は、更に毛細管現象によって溝の中を伸長する。【００１１】更に、この水滴が冷水の水面を越えて溝の中を伸長した場合、冷水の水面を離れれば離れるほど周辺温度が高いため、水滴は蒸発しやすくなる。【００１２】このことにより、結露した水蒸気は、滴るほどの大きさまでに成長することは無くなる。【００１３】本発明は、容器のそのものの表面を微細に加工するものであり、このことにより容器そのものの美感や透明度の損失は少ない。【００１４】また容器の形状が変わることが無いため、容器としての機能を損なうことも無い。
【発明を実施するための最良の形態】
【００１５】最良の実施形態として、本発明をコップに適用した例を以下に示す。【００１６】図１に、本発明の請求項１を適用したコップの淵の横断面図を示す。【００１７】図１は、コップ１のその表面に微細な溝を施すことにより、谷部２と山部３が交互に形成されていることを示す。【００１８】また谷部２の底部は、毛細管現象を強めるために丸みを帯びて切削する。【００１９】また山部３の山頂部は、谷部２に水滴を誘導しやすくするために丸みを帯びて切削する。【００２０】図２に、本発明の請求項１を適用したコップの淵を谷部２に沿って縦に切断したときの縦断面図を示す。【００２１】図２において、谷部２はコップ１の上端および下端では形成されていないことを示す。【００２２】特にコップ１の下端に谷部２を形成しないことは、水滴をコップ１の底面に滲み渡らせないために必要である。【００２３】図３に、本発明の請求項２の実施例を示す。【００２４】図３において、山部３の山頂部付近から谷部２の底部に向かって斜めに更に微細な溝５が形成されていることを示す。【００２５】また図３中において、谷部２と山部３の境界を明瞭にするために補助線４を記載している。【００２６】図３において溝５は、山部３の山頂部付近に形成されつつある微小の水滴を谷部２に誘導する働きをする。【００２７】図４に、本発明の請求項１を適用したコップの谷部２に水滴７が付着した例を示す。【００２８】図４において、冷水６によりコップ１は冷却され、その表面の温度は周囲環境より低下する。【００２９】このことにより、コップ１の表面に結露が発生し、やがて水滴に成長する。【００３０】コップ１の谷部２に水滴が形成された場合、それらは幾つかの他の水滴を巻き込み谷部２の底部を伸長する。【００３１】またコップ１の山部３にできた水滴は、山部３の丸みを帯びた形状と山部３から谷部２に伸びる更に微細な溝５により、谷部２に誘導される。【００３２】このようにコップ１の表面に形成された結露は、谷部２に誘導されその中を毛細管現象により伸長し、最終的に谷部２の上端部に達する。【００３３】谷部２の上端部は、冷水６より離れているため周囲温度が高く蒸発しやすい。【００３４】このことによりコップ１の表面に生じる結露の総量は低減され、結露の発生量と蒸発量が釣り合えば、結露の滴れを抑制することができる。【００３５】この効果は、谷部２の上端部が冷水６より離れていればいるほど顕著となる。
【実施例１】
【００３６】ガラスに本発明を適用する場合、以下の値を目安とする。
谷部２の深さ：０．２ｍｍ。
谷部２の幅：０．１ｍｍ。
山部３の幅：０．１ｍｍ。
【産業上の利用可能性】
【００３７】本発明は、コップまたはボトルまたは水槽などの容器、または液体または気体を流すためのパイプへの適用が考えられる。
【図面の簡単な説明】
【００３８】
【図１】請求項１を適用したコップの淵の横断面図。
【図２】請求項１を適用したコップの淵の縦断面図。
【図３】請求項２を適用したコップの淵の表面図。
【図４】請求項１を適用したコップの淵の縦断面に水滴が付着した例。
【符号の説明】
【００３９】１は、コップ。
２は、コップの表面に形成された谷部。
３は、コップの表面に形成された山部。
４は、谷部２と山部３の境界を示した補助線。
５は、谷部２より微細な溝。
６は、冷水。
７は、コップの表面に形成された水滴。
【図１】
2007119328.tif 000003
【図２】
2007119328.tif 000004
【図３】
2007119328.tif 000005
【図４】
2007119328.tif 000006
(57)【要約】【課題】  段ボール製造のプラテン出口の分割装置内で発生する紙粉を、紙粉が発生する分割と同時にその部分の紙粉を除去する装置を提供する。【解決手段】  分割部を構成している分割コンベア５および６の間の上部に加圧空気のヘッダに開孔を設けたエアノズル１を設備し、分割のタイミングと分割数でどのエアノズル１に空気を供給するか開閉弁３を制御すべく制御盤２を設ける。【選択図】図１
2007314343.tif 000002
【特許請求の範囲】
【請求項１】
シート束（４）の分割箇所の紙粉を除去すべく、分割と同時に分割部分に加圧した空気を吹き付けるためのエアノズル（１）と分割数に合わせたエアノズルへの空気の供給用開閉弁（３）のＯＮ、ＯＦＦ制御を行なうための制御装置（２）から構成される自動分割装置の紙粉除去装置。
【発明の詳細な説明】
【技術分野】
【０００１】  本発明は、段ボールシートの紙粉除去装置に関するものである。
【背景技術】
【０００２】  段ボール製造工程の一つに製造された段ボールシートの平抜き工程があり、プラテンという機械でシートを１枚づつ打ち抜いた後積上げてシート束にする。  シートをプラテンで分割する場合と容易に分割可能な状態にしておき後で分割装置で分割する場合があるが、後者の場合の方法については特許文献１に示しているがここでも簡単に説明する。  横２分割と３分割を一台で短時間で切替えられる分割装置を考案したが、横分割装置の４組の分割コンベア（６）、シート押え板（８）と、シート押えおよび分割に必要な油圧シリンダを持ち、シート束４をコンベア６と板８で挟み２分割の場合は真中で、３分割の場合は内側の２組を一体化し両端で分割するものである。前後分割の場合は前後分割コンベア（５）と前後シート押え板（７）、複数の分割コンベア６と板８でシート束を挟んで分割する。前後、横分割の場合もシートは容易に分割できるようにプラテンで打ち抜いて切れ目を入れているが、その時に刃物で段ボールシートを打ち抜くため紙の繊維が紙粉となるが、紙の切れ端のような紙片も含め本書類では以降紙粉と呼ぶ。  紙粉は製函工程で発生した静電気により段ボールシートに付着しやすい。  紙粉は段ボール工場内でも種々の問題を起こすが、エンドユーザにおいて問題になっている異物混入の異物の代表的なものの１つでもある。  本平抜き工程では紙粉除去は現在行なわれていない。【０００３】
【特許文献１】  特願２００５−１８４０３４公報
【発明の開示】
【発明が解決しようとする課題】
【０００４】  紙粉が段ボールシート束４に付着してエンドユーザに向けて出荷されないように、特に紙粉が発生する分割と同時にその部分に加圧空気を的確に供給し、付着した紙粉を吹き飛ばした後吸引し回収する。
【課題を解決するための手段】
【０００５】  図１の概略平面図および図２の前後分割部の概念図に基づき説明する。  分割部を構成している分割コンベアの間で、シート押え板の間の若干上部に加圧空気のヘッダに開孔を設けたエアノズル１を配置し、分割のタイミングと分割数でどのエアノズル１に空気を供給するか開閉弁３を制御すべく制御盤２を設ける。
【発明の効果】
【０００６】  本発明により、分割と同時に必要なエアノズルに加圧空気を供給しシート束に付着した紙粉を除去できるので、効率的かつ合理的に紙粉除去が行える。
【発明を実施するため最良の形態】
【０００７】  以下、本発明の詳細を実施例に基づき説明する。
【実施例１】
【０００８】  図１の概略平面図と図２の前後分割部の概念図において、プラテンの出口に位置する分割装置は前後分割コンベア５と対になった前後シート押え板７、４組の横方向の分割コンベア６と対になったシート押え板８から構成されている。  前後２分割はシート束４をコンベア５とシート押え板７、４組のコンベア６とシート押え板８を図示しない油圧シリンダで挟んだ後油圧シリンダで分割するが、横方向２および３分割の場合にはコンベア６とシート押え板８で油圧シリンダで挟み、油圧シリンダで分割する。  分割と同時にシート束４の分割部に加圧空気のブローを行なうためにはシート押え板の間で若干上方に、ヘッダに多数の開孔を設けたエアノズル１を置き、押え板と同時に昇降させる。  図示しない加圧空気供給装置から開閉弁３を経て配管するが、開閉弁の制御は分割数および分割信号により制御盤２で行なう。  図示しないが実際には吹き飛ばされた紙粉は、分割コンベアの間に吸引ダクトを設けたり、分割装置全体を囲み吸引すること等種々の方法により集塵される。
【実施例２】
【０００９】  実施例１において、本分割装置に入る所に電位計を設けシート束の電位を測り、その電位を中和すべくイオナイザで逆電位のイオンを発生させ分岐前の空気配管中に供給してやると、イオンを含んだ空気がエアノズルから供給されるので中和され、紙粉の除去率の向上が期待できる。
【産業上の利用可能性】
【００１０】  本発明の装置は、紙粉除去が分割時に分割装置内でできるため別の装置を必要とせず、効率的で合理的なので非常に有効で、利用の可能性は極めて高い。
【図面の簡単な説明】
【００１１】
【図１】  本発明の概略平面図である。
【図２】  本発明の前後分割部の概念図である。
【符号の説明】
【００１２】    １  エアノズル
２  制御盤
３  開閉弁
４  シート束
５  前後分割コンベア
６  分割コンベア
７  前後シート押え板
８  シート押え板
【図１】
2007314343.tif 000003
【図２】
2007314343.tif 000004
(57)【要約】      （修正有）【課題】鉱物抽出物成分を有効成分とする動植物の生育促進と病気の予防治療剤の提供。【解決手段】見立礫岩（天照石・天降石）の無機酸処理物からなる含金属酸性溶液であって、これを水に添加することにより、有機物の吸着分解等により透明度を増すと同時に多種（アルミニウム、鉄、マグネシウム、カリウム等）のミネラル含量にて健康維持、植物の成長促進、農薬の分解、生物全体（人間・動物・植物）に生命力を与えるミネラル剤。【選択図】なし【特許請求の範囲】
【請求項１】
見立礫岩（天照石・天降石）無機酸水溶液に溶解させて得た多種の金属塩及び非金属塩を主成分として含有する液状純無機質添加剤からなることを特徴とする動植物の成育促進、病気の予防治療剤。
【請求項２】
見立礫岩（天照石・天降石）の含ミネラル群溶液の主成分が、１ｌに／アルミニウム１〜２０ｇ、鉄１〜２０ｇ、マグネシウム１〜１５ｇ、カリウム１〜５ｇを含有し、その比重は１．１〜１．５、ＰＨが０．１〜２．０である
【請求項３】
見立礫岩（天照石・天降石）０％〜９９％と石英閃緑玲岩０％〜９９％との混合の含ミネラル群溶液。
【発明の詳細な説明】
【技術分野】
【０００１】この発明は、生命保持添加剤組成物に関し更に詳細には、鉱物抽出成分を有効成分とする生命保持組成物に関する。
【背景技術】
【従来の技術およびその課題】
【０００２】近年、生活環境や意識の変化にともない、医療技術、医薬品等の著しい進歩にも関わらず健者〜未病〜病人へ移り行く時間は早まり若年層患者は急上昇である。
【発明の開示】
【０００３】身の回りにおいても病気の防止が強く要求されており現在ではガン・糖尿病・心臓病（生活習慣病）等も非常に若年層にまで至り人間以外でも鳥インフルエンザ、狂牛病等問題の解決も提案されている。
【課題を解決するための手段】
【０００４】  従来、健康維持方法とは云わず身体に異常が起きてから病院・薬局で対応していたのが現状です。病気を治すのではなく病気に成らない私生活に本発明は見立礫岩鉱物に無機酸生命保持添加剤を提供するものである。
【発明を実施するための最良の形態】
【０００５】▲１▼多元素鉱物であること。すなわち、二酸化珪素鉱物を石基として、多種類の元素化合物が斑晶的に入り交じり一般造鉱物に比較して、その質量共に多い複雑な元素組成を示していること。
▲２▼人畜無害であること。【０００６】「実施形態の効果」
この実施形態によれば、近代医学の進歩により大半の方が病気に掛ってから病院へ行けば良いと思っています、健康な身体を保つには日常の生活環境を良くしなければならない、生命を保つには、第一に空気、第二に水、第三良い環境、鉱物抽出成分を有効成分とする。
人体に対する薬効作用
見立礫岩（天照石・天降石）は、有効良質のミネラルは、健康確保（体質改善）に必要の要素であるばかりでなく、体内酵素機能の活性化による代謝の亢進や公害汚染の細胞洗浄等により、難治疾患の著しい好転を示し、優れた医学的応用価値のあることを認める。
医薬品増量剤としての効力
▲１▼人体に必須の微量多元素の補給
見立礫岩（天照石・天降石）は、良質のミネラルをバランスよく含有している。従って増量剤として用いるならば、人体の発育生存に必要な無機栄養剤としてすばらしい効果をあらわす。故に、本体の薬効も相乗的に増加すると推定される。
▲２▼有機物質の中和・排泄
見立礫岩（天照石・天降石）は、多元素間の力・触媒作用によって、有機物質（有毒重金属類を含む）を中和・分解し、利尿促進に関連して細胞の洗浄作用がある。すなわち薬害防止作用が認められる有効増量剤といえる。
2007314499.tif 000002
▲３▼食物の防腐作用
見立礫岩（天照石・天降石）は、溶液において物理的・分子構造上酸素の放出が多く、食物の防腐及び腐敗菌の増殖阻止作用がある。故に、整腸・中毒防止の認められる有効増量剤といえる。
▲４▼ＰＨの調節作用
見立礫岩（天照石・天降石）は、多元素による緩衡作用により、薬剤とともに飲用後、体内においてＰＨの恒常を調節する。故に、液体の酸性化を防止すると認められる有効増量剤といえる。
(57)【要約】【課題】    木質・紙質の原料を母材とし、保管時はコンパクトであって緊急時には水分を吸収して土のう代わりに機能する製品の製造方法。【解決手段】    細かく裁断した木片等に植物でんぷんや高分子ポリマーなどを加水混合して外袋に封入した後に全体を加圧圧縮し板状に形成することによって、吸水すれば嵩増し膨張して土のう代わりに使用できる製品を製造する。【選択図】  図１
2007314992.tif 000002
【特許請求の範囲】
【請求項１】
細断加工した木片・竹片・紙片等を母材とし、これに霧状の水を散布しながら攪拌後、適量の砂を加えて植物でんぷんと高分子ポリマー及び消臭剤を順次投入、ミキシング後に含水量０％近くまで全体を乾燥させてから透水性のある外袋に封入することによって完成する緊急性水のう袋の製造方法。
【請求項２】
水のうとなる吸水性原料を透水性の外袋に充填封入後、外袋を加圧圧縮することによって薄型の板状に形成することを特徴とする請求項１に記載の緊急性水のう袋の製造方法。
【発明の詳細な説明】
【技術分野】
【０００１】
本発明は、災害時等に用いられる土のう代替製品の製造に関するものである。
【背景技術】
【０００２】
従来の土のうは、使用現場において袋中に土砂などを封入して完成するものであって、通常は外袋のみで保管される。
【０００３】
このため、土のうの完成には砂などの内封物の調達が必要であり、それらが調達できない場所では予め砂などを用意する必要があった。
【０００４】
高分子ポリマーなどを土のう内に予め封入すれば、現地で水を得て膨張させることができるが、外袋を開封して加水する手間が生じたり、高分子ポリマー等単体では外袋から流出してしまう虞があった。
【特許文献１】特開２００２−２７５８５１
【発明の開示】
【発明が解決しようとする課題】
【０００５】
土のうが土砂などの内封物を要さずに完成し、外袋の開封・密封作業を現場で要しないように緊急時使用が可能な製品を提供する。
【課題を解決するための手段】
【０００６】
本発明は、母材となる木片・竹片・紙片等の細断した原料に植物でんぷん、高分子ポリマーおよび適量の砂と消臭剤を混合させることにより、膨張材自体の流出防止と膨張時における嵩増し度合いをアップさせることができる。
【０００７】
木片等の母材に加えて適量の砂を封入することによって、保管時には薄型軽量でも使用時には、水中においても沈降して流失しない重量を得ることができる。
【０００８】
母材となる木片・竹片・紙片等だけでは充分な吸水性能を得られないので、これに植物でんぷん、高分子ポリマーを添加することによって吸水時に充分な質量まで膨張させることができる。
【０００９】
同時に木片・竹片・紙片等が膨張材となる植物でんぷん、高分子ポリマーの流出を防ぐので、透水性のある外袋にこれを封入すれば、外袋の開封を要さずに内容物が吸水膨張して、緊急時にも手間無く使用することが可能となる。
【００１０】
また、嵩がある木片・竹片・紙片等の細断した原料に植物でんぷん、高分子ポリマーを添加することでこれらが固着剤の役目もするので、外袋ごと油圧プレス等によって加圧圧縮すれば薄型で板状に形成することができる。
【発明の効果】
【００１１】
この発明は前記のように構成されており、以下に記載のような効果を有する。
【００１２】
第一として、嵩のある木片・竹片・紙片等と流出の虞のある植物でんぷん、高分子ポリマーを組み合わせることによって、それぞれの特質を生かして膨張材として使用することができる。
【００１３】
製造工程においては、嵩のある木片・竹片・紙片等の母材をコンパクトに形成するため加圧圧縮時に固着剤として植物でんぷん、高分子ポリマーが機能し、水のう使用時においては木片・竹片・紙片等の母材は膨張材としての植物でんぷん、高分子ポリマーの袋外流出を防止する機能がある。
【００１４】
第二に、本発明の水のうは保管時においてコンパクトであり、使用時には透水性のある外袋表面から水を通して、水のう袋の内容物が充分吸水できるので、外袋の開封を要さず使用できる。
【発明を実施するための最良の形態】
【００１５】
本発明の製品は透水性の水のう袋に、木片・竹片・紙片等の母材に水を霧状に散布しつつ攪拌し、適量の砂を加えて、更に植物でんぷん、高分子ポリマーと消臭剤を添加して後、これを乾燥させて加圧圧縮することで形成され、製造される。
【００１６】
本発明を更に詳細に説明する。
【００１７】
図１に示すのは本発明製品の製造工程であるが、それぞれの原料・添加物は順次投入添加され攪拌混合の後に乾燥されて封入、プレス機により圧縮形成されて箱詰め後出荷される。
【実施例１】
【００１８】
本発明の製品の母材となる木片・竹片・紙片等を均一に細かく裁断した上で、霧状にした水を散布しながら２〜３分程度攪拌(A)して全体を適度に湿らせる。
【００１９】
母材全体が適度に湿ってから、適量の砂を投入(B)して更に２〜３分程度攪拌していく。
【００２０】
これらを攪拌混合(C)したところで、植物でんぷん、高分子ポリマーを投入(D)して更に２〜３分程度攪拌していく。
【００２１】
続いて、消臭剤として炭類あるいは消臭バイオ類等を添加(E)して、ミキサーで攪拌し全体を均等に混合する。
【００２２】
その後、前記原料をエレベーター乾燥機に通して含水率０％近くまで脱水乾燥(F)し、原料は乾燥状態となる。
【００２３】
それから麻製・ナイロン製等の透水性外袋に前記原料を充填、袋詰めして袋口を密閉する。
【００２４】
最後に油圧プレス機によって、外袋全体を加圧圧縮(G)すると、外袋は薄く板状にコンパクトに形成される。
【００２５】
なお、原料中の植物でんぷん、高分子ポリマーがのり状の固着剤の働きをするので、外袋を加圧圧縮した後でも、嵩が元に戻ることは無い。
【００２６】
その後箱詰めされて製品が出荷される。
【産業上の利用可能性】
【００２７】
従来より土のうは麻袋に土砂を詰めて作られるものであったが、封入する土砂が用意できない場合が考えられ、特に突然の自然災害時においては、土のう袋に封入すべき土砂の入手が困難な場合がある。
【００２８】
この場合において、本発明の水のうはコンパクトに備蓄保管が可能であって、自然災害発生時には水質を問わず、吸水膨張できるだけの水があれば、土のう代替品としての大きさと機能を有する。
【００２９】
保管時においては、本発明の水のうは加圧圧縮によって薄い板状であるから、保管場所をさほど要することはなく、使用時において吸水膨張して、土のうとしての機能を発揮する。
【００３０】
本発明製品が水を得て土のうとして使用されている場合でも、本製品の内容物の流出はほとんど無いので長期に亘り形状が安定し、内容物流出による環境への影響もない。
【図面の簡単な説明】
【００３１】
【図１】本発明製品の製造工程を示す。
【符号の説明】
【００３２】
A…霧状に散水しつつ原料攪拌工程
B…砂の投入工程
C…ミキサーによる混合工程
D…植物でんぷん、高分子ポリマー添加工程
E…消臭剤添加工程
F…乾燥機による乾燥工程
G…プレス機による圧縮工程
【図１】
2007314992.tif 000003
(57)【要約】【課題】  ティッシュペーパーを使い易く経済的に収納できるティッシュペーパー収納容器を提供する。【解決手段】  柔軟な素材で略六面体の形状を持つ容器で、上面に横長状のスリットを有し、側面下部の底辺から開閉可能な形状の底蓋を設け、相対する底蓋に一対の繰り返し使用可能な着脱部材を有したことを特徴としたティッシュペーパー収納容器【選択図】図３
2007314242.tif 000002
【特許請求の範囲】
【請求項１】
柔軟な素材で略六面体の形状を持つ容器で、略六面体の上面に横長状のスリットを有し、略六面体の四つの側面の下部の底辺から独立して開閉可能な底蓋を設け、相対する底蓋に、一対の繰り返し使用可能な着脱部材を有したティッシュペーパー収納容器。
【発明の詳細な説明】
【技術分野】
【０００１】  本発明は、ティッシュペーパーの収納容器に関し、特にティッシュペーパーの詰め替えが容易、ティッシュペーパーの量に応じて、ティッシュペーパーを取り出し易くできる構造を有した、ティッシュペーパー収納容器に関するものである。
【背景技術】
【０００２】  従来ティッシュペーパーの包装は、ほとんど箱詰または、一部徳用仕様として袋詰めされたものが主流である。
【発明の開示】
【発明が解決しようとする課題】
【０００３】    ティッシュペーパーの空箱は、種々の方法でリサイクルされてはいるが、箱の大量の消費は資源の無駄遣いとなっている。一部袋詰された物もあるが、袋詰のままではティッシュペーパーを終りまで取り出すのは困難である。箱と違い柔軟性はあるが、積み重なったティッシュペーパーの収納容器としては不安定である。箱詰は寝室や病院等のベッド上では、箱の角が頭や顔に当たると痛く、その上滑り易く、狭いベッド上での病人や高齢者は、手元に置いたティッシュペーパーを落として拾えなくなり困っていた。又、箱詰はティッシュペーパーが残り少なくなっても、継ぎ足しができないし、ティッシュペーパーが少なくなると、一応底の一部を折り曲げて、ティッシュペーパーを上に持ち上げることはできるが箱は軽くなり取り出しにくい。ティッシュペーパーの詰め替え用の容器も市販されているが、いづれも硬質の素材で携帯するにも不便である。
本発明はこのような問題点を解決するためになされたものである。
【課題を解決するための手段】
【０００４】  柔軟な素材で略六面体の形成を持つ容器で、略六面体の上面に横長状のスリットを有し、略六面体の四つの側面の下部の底辺から独立して開閉可能な底蓋を設け、相対する底蓋に、一対の繰り返し使用可能な着脱部材を有したことを特徴としたティッシュペーパー収納容器である。
【発明の効果】
【０００５】  本発明は柔軟な素材の略六面体に形成した、ティッシュペーパー収納容器を提供するもので、箱詰では、ティッシュペーパー使用後の箱は紙屑となる。箱詰は残り少なくなると、ティッシュペーパーが取り出しずらい。本発明の収納容器は底蓋が開閉可能に形成されており、ティッシュペーパーが少なくなると、収納容器の側面を折りたたむことができ、ティッシュペーパーが減った分、収納容器は薄くなり、最後の一枚まで容易に取り出すことができる。又、箱詰めでは難しいティッシュペーパーの継ぎ足しが、容易にできるので、常に最初の状態で使用できる。高齢者が多い病院のベッドでも、箱詰と違い滑らず肌触りがよく、デザイン性にも優れた素材を使用できる等、箱詰の容器にはない特徴がある。箱詰は一度使用すると後はゴミとなり、資源を有効に利用するためには無駄を省く必要がある。「モッタイナイ」が世界の共通語になろうとしているこんにち、使い捨てず、繰り返し使用できる本発明は、人にも、環境にも優しいティッシュペーパーの収納容器である。花粉症などで大量に使用する人にとっては、携帯にも便利である。車内などで使用するときは、底蓋の間にベルト状の紐を通すか、容器の両脇とベルト状の紐に面テープ等を取りつけ、運転席のヘッドレストに取り付ける。柔らかい素材の収納容器は急停車にも安全である。
【発明を実施するための最良の形態】
【０００６】（イ）柔軟な素材からなる略六面体（１）の上面に横長状のスリット（３）を設ける。
（ロ）略六面体（１）の四つの側面（２）の下部の底辺から独立する開閉可能な底蓋（４）（５）を設ける。
（ハ）それぞれ相対する底蓋（４）（５）に面テープやホックなどの着脱部材（６）（７）を装着する。
以上のような構造である。素材は柔軟な布や革、軟質プラスチック等を使用しおよそ箱詰のティッシュペーパーと同様の大きさに形成し、従来から市販されている箱詰のティッシュペーパーを全部取り出し収納し、相対する底蓋の一方を閉じ、もう一方の底蓋をその上に重ね閉じることにより、解放の底は完全に閉鎖され略六面体の収納容器となる。
使用にあたって、図１に示すように横長状のスリット（３）から、ティッシュペーパー（８）を取り出し、順次使用していく。ティッシュペーパー（８）が少なくなったら、底蓋（４）（５）を開放して側面（２）を折りたたんで容器内のティッシュペーパーの空間をなくすことで、ティッシュペーパー（８）が取り出しやすくなる。
【図面の簡単な説明】
【０００７】
【図１】  本発明の使用説明図
【図２】  本発明の底面斜視図
【図３】  本発明のティッシュペーパー収納前の斜視図
【図４】  本発明の展開図
【符号の説明】
【０００８】      １・・略六面体
２・・側面
３・・横長状のスリット
４・・底蓋
５・・底蓋
６・・着脱部材
７・・着脱部材
８・・ティッシュペーパー
【図１】
2007314242.tif 000003
【図２】
2007314242.tif 000004
【図３】
2007314242.tif 000005
【図４】
2007314242.tif 000006